(57)【要約】      （修正有）【課題】内部に着用する制服やユニフォーム自体がその防水性を確保しながら遠くからでも視認しやすいために、第三者への対応や通行人の誘導等に支障なく用いる事ができる透明衣料の提供。【解決手段】０．１〜０．５ｍｍの厚みを有するポリウレタン樹脂を主原料とする素材を用い、衣料形態に裁断した部位の端部を高周波ウエルダーによって溶着成形した透明衣料。【選択図】図１
0003121657.tif 000002
【実用新案登録請求の範囲】
【請求項１】
０．１〜０．５ｍｍの厚みを有するポリウレタン樹脂を主体とするフィルムを衣料素材として用い、衣料形態に裁断した複数の部位の端部を高周波ウエルダーによって溶着成形したことを特徴とする透明衣料。
【請求項２】
前記透明衣料は、上衣又は下衣からなることを特徴とする請求項１記載の透明衣料。
【請求項３】
前記透明衣料は、平行光線透過率が７０．０％以上であることを特徴とする請求項１記載の透明衣料。
【考案の詳細な説明】
【技術分野】
【０００１】
本考案は、透明衣料に関し、さらに詳しくは、ポリウレタン樹脂フィルム素材を主体として直接用いて透明性、防水性及び防風性に優れたべとつきを極力抑えた透明衣料を提供するものである。
【背景技術】
【０００２】
従来の透明衣料の素材としては、塩化ビニール製の衣料が多く用いられていたが、この素材からなる衣料の場合、一旦、引き延ばすと元の形状に戻りにくい性質がある上に、強度が無いために裂けやすく、透明度を高くすると粘着性が高くなり激しくベタ付き、生地同士がピッタリ着いて離れず衣料としての体がなされていなかった。
【０００３】
また、この塩化ビニール素材の衣料の場合には、粘着度を軽減するために透明度の点で半透明性に近いものにせざるを得ず、例えば警備員やイベント等の案内人等が独自のユニフォームの上に前記衣料を着用して通行人等を案内する場合に、ユニフォーム自体の色が通行人からは視認しにくくなっていた。
【０００４】
一方で、透明性を有するポリウレタン素材を用いる防水衣料として、実開昭６２−３６０１５号「防水衣料」は、「基布外面及び内面のうち、少なくとも外面に防水用ポリウレタン層を備え、該基布外面のポリウレタン層は、該基布外面をほぼ密に覆うようにアルミニウム粉末を混入含有する」防水衣料を開示しているが、この場合のポリウレタン素材は基布と共に用いるものであり、具体的にはフィルム状の厚みの薄いものを基布に貼って用いていた。
【０００５】
また、ウレタン系ホットメルトフィルムが有する柔軟性、弾力性、透湿性、耐寒性、耐曲性、強靱性等を堅持し、しかも、布地や発砲シート等と積層加熱した際に、高い層間接着強度を生じさせ、且つ、布地や発砲シート等が本来有している特性を損うことがないように用いることが特開２００２−１６１２４９号に開示されているが、この場合、熱可塑性ポリウレタン樹脂の中に、平均粒径が０．０１〜１０μｍである可視光線遮蔽性充填剤を添加することによって濃色の布地や発砲シートの色が透け通らないようにしている。
【特許文献１】実開昭６２−３６０１５号
【特許文献２】特開２００２−１６１２４９号
【考案の開示】
【考案が解決しようとする課題】
【０００６】
上記のように従来存在する透明素材である塩化ビニール素材の場合には、透明度が半透明に近いものが多く、透明性のものはベト付きが有するものであった。また、引き延ばすと元の形状に戻りにくい性質がある上に、強度が無いために裂けやすい性質を有していた。
【０００７】
一方で、透明性を有するポリウレタン樹脂を用いることは公知であるが、この場合、ポリウレタン樹脂フィルムの厚みが０．１〜０．５μｍ程度であり、生地に貼り付けて用いる場合が殆どであるため、貼り付けた生地の色彩や模様が視認されるものであった。
【０００８】
上記の理由により、警備員やイベントの案内人等が独自のユニフォームの上に前記衣料を着用して通行人等を案内する場合には、ユニフォーム自体の色が通行人からは視認しにくく、このために透明衣料自体の透明度が高く、一方で、着用者の防水、防寒性能の高い透明衣料の開発が望まれていた。
【課題を解決するための手段】
【０００９】
本考案者は、係る課題を解決するために鋭意研究したところ、従来製造が難しかった厚みが０．１〜０．５ｍｍ有するポリウレタン素材を見いだし、さらに、これらのフィルムのままの素材を衣料として使用するために製造手段を模索したところ、特殊高周波ウエルダー法で衣料形態に合わせて裁断したものを熱着できることを見いだした。
【００１０】
すなわち本考案の第一は、０．１〜０．５ｍｍの厚みを有するポリウレタン樹脂を主体とするフィルムを衣料素材として用い、衣料形態に裁断した部位の端部を高周波ウエルダーによって溶着成形したことを特徴とする透明衣料である。
【００１１】
本考案の第二は、前記透明衣料は、上衣又は下衣からなることを特徴とする請求項１記載の透明衣料である。
【００１２】
本考案の第三は、前記透明衣料は、平行光線透過率が７０．０％以上であることを特徴とする請求項１記載の透明衣料である。
【考案の効果】
【００１３】
本考案の透明衣料は、透明度が高いために内部に着用する制服やユニフォーム自体がその防水性を確保しながら遠くからでも視認し易いために、第三者への対応や通行人の誘導等に支障なく用いることができるものである。
【００１４】
また、上衣においては、任意箇所に空気通気孔を設けることができるために、着用時に内熱が抜けやすいように設定が可能である。
【考案を実施するための最良の形態】
【００１５】
本考案の透明衣料は、上下の衣料のみだけでなく、上衣に脱着可能に取付け可能な帽子、コート形状の上衣、前掛け等の衣料を含むものである。
【００１６】
上記、透明衣料の素材としては、０．１〜０．５ｍｍの厚みを有するポリウレタン樹脂を用いるが、０．１ｍｍ未満の厚さでは裂けやすく、０．５ｍｍ以上では嵩張った状態となるので上記範囲の厚みの樹脂を用いた。
【実施例１】
【００１７】
図１は、本考案の透明衣料を示す斜視図である。この透明衣料は、上衣と下衣とから成り、上衣の首周りには帽子が脱着可能に釦接合が可能となっている。
【００１８】
上記上衣を製造するには、一例として０．２ｍｍのポリウレタン樹脂を図２に示すように胴部、袖部の形状に合わせて裁断し、それぞれ端部を高周波ウエルダーによって溶着成形するが、この場合、胴部においては、上下の素材が一部重なるようにして通気孔を設けるようにしている。
【００１９】
また、使用者が着用する制服のポケットへの出し入れが可能のように、出し入れ口（図示せず）を設け、その上を被覆する抑え部７を設けている。
【００２０】
また袖部においては、端部付近を二重構造として、外部から雨等の水分が侵入しないように、内部に伸縮可能なゴム材を内包する中抑え部５を袖部内面に溶着している。
【００２１】
上記、上衣の首周りには、帽子が脱着可能に釦４で取付け可能に設定している。
【００２２】
一方、下衣においては、図３に示すようにウエスト部８に伸縮可能なゴム材を内包し、着用者のウエストに沿って締め付けが可能となっているほか、裾部には、ファスナー６を取付けて、着用がし易いように工夫している。
【００２３】
本実施例で用いた０．２ｍｍのポリウレタン樹脂を試験片（縦横約５０ｍｍ）として直読ヘーズコンピュータＨＧＭ−２Ｋ（スガ試験器(株)製）を用いて光線透過率測定したところ、全光線透過率が９３．９％、拡散透過率が７．９％、平行光線透過率が８５．９％であった。
【００２４】
比較のために従来素材であるＰＶＣフィルムクリア（乳白色）を試験片（縦横約５０ｍｍ）として直読ヘーズコンピュータＨＧＭ−２Ｋ（スガ試験器(株)製）を用いて光線透過率測定したところ、全光線透過率が９９．５％、拡散透過率が８１，５％、平行光線透過率が１８．０％であった。したがって、従来のＰＶＣフィルムクリア素材に比較して平行光線透過率が７０．０％以上のものは乳白色でなく、ある程度の透明性を確保するものと思われるので、本願考案の透明衣料の平行光線透過率を７０．０％以上の素材を用いることにした。
【図面の簡単な説明】
【００２５】
【図１】本考案の透明衣料を示す斜視図である。
【図２】図１に示す上衣の正面図である。
【図３】図１に示す下衣の正面図である。
【符号の説明】
【００２６】
１・・・上衣
２・・・下衣
３・・・帽子
４・・・釦
５・・・中抑え部
６・・・ファスナー
７・・・抑え部
８・・・ウエスト部
【図１】
0003121657.tif 000003
【図２】
0003121657.tif 000004
【図３】
0003121657.tif 000005